【手続補正書】
【提出日】平成17年8月22日(2005.8.22)
【手続補正１】
【補正対象書類名】特許請求の範囲
【補正対象項目名】全文
【補正方法】変更
【補正の内容】
【特許請求の範囲】
【請求項１】
ファイヤウォールの外側にある発信元デバイスからファイヤウォールの背後にあるプライベート・ネットワーク上で印刷する方法であって、
ファイヤウォールの背後に配置されている出力管理システム・コンポーネントとファイヤウォールの外側にある出力管理システム・コンポーネントとの間の、ファイヤウォールを通過するパススルー通信リンクを確立することと、
描画可能なデータを発信元デバイスに供給し、それによりユーザ・インターフェイスを発信元デバイス上に描画することと、
ユーザ・インターフェイスを介して印刷するソース・データをユーザが選択できるようにすることと、
ソース・データの印刷先のプライベート・ネットワーク上の出力デバイスをユーザが選択できるようにすることと、
ストアからソース・データを検索することと、
ソース・データと選択された出力デバイスに対応する出力イメージ・データを描画することと、
ファイヤウォールの外側にある出力管理システム・コンポーネントから出力イメージ・データをファイヤウォールの背後に配置されている出力管理システム・コンポーネントに送信することと、
ファイヤウォールの背後に配置されている出力管理システム・コンポーネントから出力イメージ・データを出力デバイスにサブミットし、出力デバイスにより物理的に描画することを含む方法。
【請求項２】
ファイヤウォールの外側にある発信元デバイスからファイヤウォールの背後にあるプライベート・ネットワーク上で印刷する方法であって、
ファイヤウォールの背後に配置されている出力管理システム・コンポーネントとファイヤウォールの外側にある出力管理システム・コンポーネントとの間の、ファイヤウォールを通過するパススルー通信リンクを確立することと、
描画可能なデータを発信元デバイスに供給し、それによりユーザ・インターフェイスを発信元デバイス上に描画することと、
ユーザがユーザ・インターフェイスを介して印刷するソース・データを選択できるようにすることと、
ユーザがソース・データの印刷先のプライベート・ネットワーク上の出力デバイスを選択できるようにすることと、
ファイヤウォールの外側に配置されている出力管理システム・コンポーネントからソース・データまたはそのデータへの参照をファイヤウォールの背後に配置されている出力管理システム・コンポーネントに転送することと、
ソース・データと選択された出力デバイスに対応する出力イメージ・データを描画することと、
出力イメージ・データを出力デバイスにサブミットし、出力デバイスにより物理的に描画することを含む方法。
【請求項３】
ファイヤウォールの外側にある発信元デバイスからファイヤウォールの背後にあるプライベート・ネットワーク上で印刷する方法であって、
発信元デバイスとファイヤウォールの背後に配置されている出力管理システム・コンポーネントとの間の、ファイヤウォールを通過する仮想プライベート・ネットワーク（ＶＰＮ）トンネルを備える通信リンクを確立することと、
描画可能なデータを発信元デバイスに供給し、それによりユーザ・インターフェイスを発信元デバイス上に描画することと、
ユーザがユーザ・インターフェイスを介して印刷するソース・データを選択できるようにすることと、
ユーザがソース・データの印刷先のプライベート・ネットワーク上の出力デバイスを選択できるようにすることと、
ＶＰＮトンネルを介して発信元デバイスからソース・データまたはそのデータの参照をファイヤウォールの背後に配置されている出力管理システム・コンポーネントに転送することと、
ソース・データと選択された出力デバイスに対応する出力イメージ・データを描画することと、
出力イメージ・データを出力デバイスにサブミットし、出力デバイスにより物理的に描画することを含む方法。
【請求項４】
ファイヤウォールの外側に配置されている発信元デバイスからファイヤウォールの背後に配備されているプライベート・ネットワークに接続されている送り先出力デバイスで印刷を可能にする出力管理システムであって、
入力ソース・データおよび送り先出力デバイスに対応する出力イメージ・データを生成する印刷サービスと、
ファイヤウォールの外側に配置された、印刷サービスと通信するようにリンクされているメッセージ・センターであって、
描画可能データを供給し、これによりユーザ・インターフェイス（ＵＩ）をＷｅｂサーバ・コンポーネントと通信して動作するようにリンクされている発信元デバイス上に描画し、ユーザが描画するソース・データを選択して、送り先出力デバイス上にソース・データを描画するジョブ要求をサブミットできるようにするＷｅｂサーバ・コンポーネントと、
プライベート・ネットワーク上に配備され、ファイヤウォールを通るリンクを介してメッセージ・センターと通信するようにリンクされているクライアント・サイド・コンポーネントとを含むメッセージ・センターを備え、
メッセージ・センターはさらに、Ｗｅｂサーバ・コンポーネントから受信したジョブ要求を管理し、その受信に対する応答として、
選択したソース・データまたはそのデータへの参照を印刷サービスに送る経路を選択し、
印刷サービスにより生成された出力イメージ・データを送信先のプリンタに配信するのを制御するシステム管理コンポーネントを備える出力管理システム。
【請求項５】
ファイヤウォールの外側に配置されている発信元デバイスからファイヤウォールの背後に配備されているプライベート・ネットワークに接続されている送り先出力デバイスで印刷を可能にする出力管理システムであって、
入力ソース・データおよび送り先出力デバイスに対応する出力イメージ・データを生成する印刷サービスと、
ファイヤウォールの内側に配置された、印刷サービスと通信するようにリンクされているメッセージ・センターであって、
描画可能データを供給し、これによりユーザ・インターフェイス（ＵＩ）をセキュリティ保護されたリンクを介してＷｅｂサーバ・コンポーネントと通信して動作するようにリンクされている発信元デバイス上に描画し、ユーザが描画するソース・データを選択して、送り先出力デバイス上にソース・データを描画するジョブ要求をサブミットできるようにするＷｅｂサーバ・コンポーネントと、
Ｗｅｂサーバ・コンポーネントから受信したジョブ要求を管理するシステム管理コンポーネントとを含み、その受信に対する応答として、
選択したソース・データまたはそのデータへの参照を印刷サービスに送る経路を選択し、
印刷サービスにより生成された出力イメージ・データを送信先のプリンタに配信するのを制御するメッセージ・センター
を備える出力管理システム。
【請求項６】
出力管理システムであって、
描画可能データを供給し、それによりユーザ・インターフェイス（ＵＩ）を少なくとも１つのＷｅｂサーバと通信し動作するようにリンクされている発信元デバイス上に描画し、前記ユーザ・インターフェイスにより、ユーザが、描画するソース・データを選択し、送り先出力デバイスにソース・データを描画するジョブ要求をサブミットすることができるように構成されているソフトウェアを実行する少なくとも１つのＷｅｂサーバを含むＷｅｂサーバ層と、
入力ソース・データおよび入力ソース・データを描画する出力デバイスに対応する出力イメージ・データを生成する印刷サービスを実行するソフトウェアを実行する少なくとも１つの印刷サービス・サーバを備える印刷サービス層と、
ジョブ要求を管理し、それに対する応答として、
選択したソース・データまたはそのデータへの参照を印刷サービス層に送る経路を選択し、
印刷サービスにより生成された出力イメージ・データを描画のため送り先出力デバイスにサブミットするのを管理するように構成されているソフトウェアを実行する少なくとも１つのメッセージ・センター・サーバを備えるメッセージ・センター層を備え、
印刷サービス層とメッセージ・サービス層内のサーバからの少なくとも１つのサーバがプライベート・ネットワーク上のファイヤウォールの背後に配置されている出力管理システム。